(57)【特許請求の範囲】
【請求項１】
動物を模して形成されるとともに、胴体部に対し頭部、腕部及び脚部が着脱且つ回動可能に形成された立体状のフレームと、該フレームの胴体部や脚部等の各部に対応して細分化されるとともに、着脱部分には切欠き部を設けた外皮部材とを有し、該外皮部材は表面に様々な色や模様が施されたシートに、前記フレームに対応して切り込み線を入れて形成し、該切り込み線に沿って切り取るようにするとともに、裏面には上記フレームの表面に貼着する貼着手段を設けたことを特徴とする縫いぐるみ玩具。
【発明の詳細な説明】
【０００１】
【発明の属する技術分野】
本発明は、縫いぐるみ玩具、詳しくは動物を模して形成された立体状のフレームに胴体部や脚部等の各部に対応して細分化された外皮部材を貼着する縫いぐるみ玩具に関する。
【０００２】
【従来の技術】
従来、動物を模した縫いぐるみ玩具は様々なものが提案され実用に供されている。これらの縫いぐるみ玩具は、メーカーが様々な工夫をして提供している。近年、癒しの対象として複数のセンサを配置し、そのセンサを機能させることにより様々な動作や音声を出力させるようになっているものであり、縫いぐるみ玩具との接触の仕方によってセンサの反応による動作や音声が変化していくものも多く提案され実用に供されている。
【０００３】
【発明が解決しようとする課題】
しかしながら、上述の縫いぐるみ玩具は、機能的な面に重点が置かれ外観的にはその比重は低いもので、メーカー側でも外観を変えた多数の縫いぐるみを提供するのにはコストの問題や、外観が不人気の縫いぐるみは売れ残る恐れもあり、種類を多くすることには問題があった。
【０００４】
本発明は上記問題点を解消し、ユーザーが好みの外観を構築することができるとともに、オリジナリティのある縫いぐるみ玩具をユーザーが作り出すことができる縫いぐるみ玩具を提供することをその課題とする。
【０００５】
【課題を解決するための手段】
前記課題を解決するため、本発明に係る縫いぐるみ玩具は、動物を模して形成されるとともに、胴体部に対し頭部、腕部及び脚部が着脱且つ回動可能に形成された立体状のフレームと、該フレームの胴体部や脚部等の各部に対応して細分化されるとともに、着脱部分には切欠き部を設けた外皮部材とを有し、該外皮部材は表面に様々な色や模様が施されたシートに、前記フレームに対応して切り込み線を入れて形成し、該切り込み線に沿って切り取るようにするとともに、裏面には上記フレームの表面に貼着する貼着手段を設けたことを特徴とする。
【０００６】
【発明の実施の形態】
図１は、本発明に係る縫いぐるみ玩具の一例を示し、この縫いぐるみ玩具Ａは動物を模して形成された立体状のフレームＢに、外皮部材Ｃを貼着することにより縫いぐるみ玩具を形成することができ、ユーザーがフレームＢと外皮部材Ｃとを個別に又はセットで購入し、ユーザー自ら縫いぐるみ玩具を作成することができるようにしたものである。
【０００７】
フレームＢは、図２（ａ）（ｂ）に示すように、合成樹脂で熊を模して形成され、胴体部１に対し頭部２、腕部３及び脚部４がそれぞれ着脱できるように、胴体部１には軸受部５ａ、５ｂ、５ｃが形成され、頭部２、腕部３及び脚部４にはそれぞれ、上記軸受部５ａ、５ｂ、５ｃに回動可能に軸支される支軸６ａ、６ｂ、６ｃが突出形成されている。
【０００８】
そして、外皮部材Ｃはフェルトやフェイクファー（模造毛皮）等を用いればよく、この外皮部材Ｃは各部材１、２、３、４を縦に分割した状態で表面から覆うことができる形状が好ましく、貼着の際に接合面が直線になり貼着が容易であるとともに誰でも綺麗に貼着できるように形成されていればよい。
【０００９】
胴体部１を覆う胴外皮部材１０は、前部材１０ａと後部材１０ｂとに細分化して構成され、胴体部１に形成された軸受部５ａ、５ｂ、５ｃを覆うことがないようにそれぞれ切り欠き部１１が形成されている。
【００１０】
頭部２を覆う頭部外皮部材１２は、耳を覆う耳部材１２ａ、前頭部を覆う前部材１２ｂ、左右の側頭部を覆う側部材１２ｃ、１２ｄ、口部を覆う口部材１２ｅとに細分化して構成されている。なお、頭部外皮部材１２は動物の種類によって構成が異なり、上記の部材のみで構成されるとは限らない。なお、符号３０は鼻部材、符号３１は目部材を示すが、この鼻部材３０、目部材３１は外皮部材と同じ素材で貼着できるものであってもよいが、プラスチックやポリエチレンの樹脂の成形品で構成することが好ましい。このことにより、目の色を黒やブルーにできるとともに光を反射して目が輝いて見えたり、鼻が濡れているように見えたりするので質感が出るとともに、オリジナリティの幅を広げることができる。
【００１１】
腕部３を覆う腕外皮部材１３は、外側部材１３ａと内側部材１３ｂとに細分化して構成され、内側部材１３ｂは支軸を覆うことがないように上部１３ｃが切り欠かれるとともに、手の平に相当する部分には、手の平を模した樹脂製の装飾体１６を腕部３に貼り付けるための開口部１５が形成されている。
【００１２】
脚部４を覆う脚外皮部材２０は、外側部材２０ａと内側部材２０ｂとに細分化して構成され、両部材２０ａ、２０ｂは足の裏４ａを覆うことがないように先端同士が接合しない程度の長さに形成されるとともに、内側部材２０ｂには支軸６ｃを覆うことがないように上部２０ｃが切り欠かれている。そして、脚の先端部には足裏を模した樹脂製の装飾体２１が貼着できるようになっている。
【００１３】
なお、外皮部材Ｃの裏面には、図４（ａ）に示すように、両面シール等の貼着手段Ｄが取り付けられており、図４（ｂ）に示すように、剥離シート２３を剥がすことによって粘着面２４が露出し、図４（ｃ）に示すように、外皮部材Ｃを容易にフレームＢに貼着することができるようになっている。そして、この貼着手段Ｄを両面テープにした場合は、新たな両面テープを外皮部材Ｃの裏面に貼着することにより容易に貼り返すことができる。また、貼着手段Ｄとして接着剤を用いた場合は、外皮部材Ｃを恒久的にフレームＢに取り付けることができる。
【００１４】
ところで、上記外皮部材Ｃは、図５（ａ）（ｂ）に示すように、格子や星等の図柄ａが描かれたフェルトやフェイクファー等のシート２５にフレームＢの構成部品に対応して切り込み線２６を入れ、切り込み線２６に沿って切り取ることにより、外皮部材Ｃが得られるようになっていればよい。このことにより、外皮部材Ｃがバラバラになることが避けられるとともに、外皮部材Ｃが全て揃っているか否かをチェックする手間が省けるなど製造面におけるコスト削減も図ることができる。
【００１５】
なお、手の平や足の裏は、図３に示すような、樹脂製の装飾部材１６、２１に限定されるものではなく、図５（ｂ）に示すように、シート２５には外皮部材で手の平部材１６’や、足裏部材２１’を形成し、樹脂製の装飾部材１６、２１に代えて腕部３と脚部４とに貼り付けるようにしてもよい。
【００１６】
上記構成の縫いぐるみ玩具を作成する場合は、先ず裸の状態のフレームＢを胴体部１、頭部２、腕部３及び脚部４に分解する。次に、シート２５から各部材１、２、３、４に対応する外皮部材１０、１２、１３、２０を剥がし、剥がした外皮部材１０、１２、１３、２０をそれぞれ各部材１、２、３、４に貼着し、外皮部材１１が貼着された胴体部１の軸受部５ａ、５ｂ、５ｃに、外皮部材Ｃを貼着した頭部２、腕部３及び脚部４の軸部６ａ、６ｂ、６ｃをそれぞれ支持させることにより、図1に示すような縫いぐるみ玩具を形成することができる。
【００１７】
なお、外皮部材を動物の種類に合わせてリアルな色使いや模様にしてもよいが、格子縞や花模様など既成概念にとらわれない模様や色が外皮部材に施されていてもよい。このことにより、メーカーがフレームＢとは別途に外皮部材のみをユーザーに提供し、ユーザーが任意に外皮部材の取捨選択ができるようにすることにより、図６に示すように、ユーザーにとってオリジナル性のある縫いぐるみ摸玩具を作成することが可能になり、メーカーにとってはフレームＢ又はフレームＢと外皮部材Ｃのセットだけの販売に留まらず、外皮部材Ｃ（シート２５）のみをアクセサリーとして提供することができるので、従来の完成された縫いぐるみ玩具の販売とは全く異なる販売プログラムでユーザーに縫いぐるみ玩具を提供することができるので、単に縫いぐるみ玩具を販売するメーカーとの差別化を図ることができる。
【００１８】
なお、胴体部１に音や振動などの外的刺激を検出するセンサ、センサの作動によりスピーカから鳴声や効果音を出力させるプログラマブル音声合成ＩＣ、電池などを収容し、作動する縫いぐるみ玩具としてユーザーに提供できることは言うまでもない。
【００１９】
【発明の効果】
請求項１の発明によれば、動物を模して形成されたフレームにユーザーが好みの外皮部材を貼着することができるので、ユーザーが自分で縫いぐるみ玩具を作成する楽しみを享受することができ、完成された状態で提供される縫いぐるみ玩具との差別化を図ることができる。
【００２０】
そして、フレームを胴体部、頭部、腕部、脚部に分解できるようにし、各フレームに貼着しやすいように外皮部材を細分化するとともに、着脱部分には切欠き部を設けたことにより、各部に外皮部材を貼着しやすいので、胴体部に接触する腕部の内側や脚部の内側に容易に且つ確実に貼着することができるので、各部を胴体部に組み付けた時には綺麗な縫いぐるみ玩具を構築することができる。
【００２１】
しかも、上記外皮部材を、表面に様々な色や模様が施されたシートに切り込み線を入れて形成し、該切り込み線に沿って外皮部材を切り取るようにしたので、メーカーが外皮部材を別途に提供しユーザーが自分の好みの外皮部材を取捨選択できるようにした際に、ユーザーが好みの外観を有する縫いぐるみ玩具を構築することができ、お仕着せの縫いぐるみ玩具と異なりオリジナリティのある縫いぐるみ玩具を作成することができ、ユーザーの購買意欲を喚起することができる。
【図面の簡単な説明】
【図１】本発明に係る、縫いぐるみ玩具の斜視図
【図２】（ａ）（ｂ）はフレームの斜視図及びフレームの分解斜視図
【図３】（ａ）〜（ｄ）はフレームの構成部材と各構成部材に貼着する外皮部材の関係を説明する斜視図
【図４】（ａ）〜（ｃ）は貼着手段の説明図
【図５】（ａ）（ｂ）は外皮部材を構成するシートの一例の説明図
【図６】外皮部材の選択により形成された縫いぐるみ玩具の斜視図
【符号の説明】
１  胴体部
２  頭部
３  腕部
４  脚部
Ｂ  フレーム
Ｃ  外皮部材
Ｄ  貼着手段
【図１】
0003635055.tif 000002
【図２】
0003635055.tif 000003
【図３】
0003635055.tif 000004
【図４】
0003635055.tif 000005
【図５】
0003635055.tif 000006
【図６】
0003635055.tif 000007